(57)【特許請求の範囲】
【請求項１】
駆動源の回転が伝達されて回転する伝達車と、この伝達車の回転によって回転する差動車と、この差動車の回転によって間欠的に回転する送り車と、この送り車の回転によって回転して表示が切り替わる表示車と、前記差動車の回転を係脱可能に規制する規制部材とを備えた表示切替装置であって、
前記差動車は、前記伝達車に噛み合って回転する第１差動歯車と、この第１差動歯車と同一軸上に回転可能に設けられ、且つ前記送り車に噛み合って回転すると共に前記規制部材によって回転が係脱可能に規制される第２差動歯車と、この第２差動歯車に対する前記第１差動歯車の回転による位置ずれを回転力として前記第２差動歯車に付与する回転力付与部材とを備え、
前記回転力付与部材は、前記第１差動歯車に着磁された第１磁石部と、前記第２差動歯車に着磁された第２磁石部とを備え、前記第１磁石部の磁極と前記第２磁石部の磁極とが互いに吸引し合うことを特徴とする表示切替装置。
【請求項２】
請求項１に記載の表示切替装置において、前記規制部材は、前記差動車の前記第２差動歯車の回転を規制する規制レバーと、前記第２差動歯車に対する前記規制レバーによる規制を解除する規制解除車とを備えていることを特徴とする表示切替装置。
【請求項３】
請求項１又は請求項２に記載の表示切替装置において、前記伝達車は、前記駆動源の回転が伝達されて回転する指針車の回転に伴って回転することを特徴とする表示切替装置。
【請求項４】
請求項２または請求項３に記載の表示切替装置において、前記規制解除車は、前記駆動源の回転が伝達されて回転する前記指針車の回転に伴って回転することを特徴とする表示切替装置。
【請求項５】
請求項１〜請求項４のいずれか一項に記載の表示切替装置を機器ケースに設けていることを特徴とする電子機器。
【発明の詳細な説明】
【技術分野】
【０００１】
この発明は、時計やカレンダー装置、あるいは計器類のメータなどの機器に用いられる表示切替装置および電子機器に関する。
【背景技術】
【０００２】
例えば、腕時計に用いられている表示切替装置においては、特許文献１に記載されているように、ステップモータの回転を中間車によって指針車に伝達し、この指針車の回転を他の中間車によってゼネバ車である伝達車に伝達し、この伝達車の回転に伴ってツメ車を回転させ、このツメ車によって送り車を間欠的に回転させることにより、この送り車によって表示車を回転させて、表示車の表示を切り替えるように構成されたものが知られている。
【先行技術文献】
【特許文献】
【０００３】
【特許文献１】特開２００９−１９８４３７号公報
【発明の概要】
【発明が解決しようとする課題】
【０００４】
しかしながら、このような腕時計の表示切替装置では、ツメ車が伝達車によって２４時間で１回転し、このツメ車が１回転するごとに送り車を所定角度ずつ回転させ、この送り車の所定角度の回転によって表示車を所定角度回転させて表示を切り替えるように構成されているため、表示車が回転を開始してから表示の切り替わりが完了するまでに要する時間が、３時間〜４時間程度必要であり、その間は表示が中途半端にずれた状態で表示されているという問題がある。
【０００５】
この発明が解決しようとする課題は、表示車の表示を速やかに切り替えることができる表示切替装置および電子機器を提供することである。
【課題を解決するための手段】
【０００６】
この発明は、駆動源の回転が伝達されて回転する伝達車と、この伝達車の回転によって回転する差動車と、この差動車の回転によって間欠的に回転する送り車と、この送り車の回転によって回転して表示が切り替わる表示車と、前記差動車の回転を係脱可能に規制する規制部材とを備えた表示切替装置であって、前記差動車は、前記伝達車に噛み合って回転する第１差動歯車と、この第１差動歯車と同一軸上に回転可能に設けられ、且つ前記送り車に噛み合って回転すると共に前記規制部材によって回転が係脱可能に規制される第２差動歯車と、この第２差動歯車に対する前記第１差動歯車の回転による位置ずれを回転力として前記第２差動歯車に付与する回転力付与部材とを備え、前記回転力付与部材は、前記第１差動歯車に着磁された第１磁石部と、前記第２差動歯車に着磁された第２磁石部とを備え、前記第１磁石部の磁極と前記第２磁石部の磁極とが互いに吸引し合うことを特徴とする表示切替装置である。
【発明の効果】
【０００７】
この発明によれば、表示車の表示が切り替わる際に、差動車の第１差動歯車が伝達車によって回転しても、第２差動歯車が規制部材によって回転が規制されて、第１差動歯車と第２差動歯車とが回転方向に位置ずれし、この位置ずれによる回転力を回転力付与部材によって第２差動歯車に付与することができる。このため、第２差動歯車に対する規制部材の規制が解除されると、第１差動歯車に対して位置ずれしている第２差動歯車を速やかに回転させることができ、これにより表示車の表示を速やかに切り替えることができる。
【図面の簡単な説明】
【０００８】
【図１】この発明を指針式の電子腕時計に適用した一実施形態における時計モジュールを示した拡大裏面図である。
【図２】図１に示された時計モジュールにおける第１駆動系を示した要部の拡大断面図である。
【図３】図１に示された時計モジュールにおける第２駆動系を示した要部の拡大断面図である。
【図４】図１に示された時計モジュールの拡大平面図である。
【図５】図４に示された時計モジュールにおける表示切替装置の差動車を示し、（ａ）は第１差動歯車と第２差動歯車との回転位置がずれた状態を示した要部の分解平面図、（ｂ）は第１差動歯車と第２差動歯車との各磁極が互いに引き合って一致した状態を示した要部の分解平面図である。
【図６】図４に示された時計モジュールにおける規制部材を示した要部の拡大断面図である。
【図７】図４に示された時計モジュールにおいて第２差動歯車に対する規制部材の規制が解除された状態を示した拡大平面図である。
【発明を実施するための形態】
【０００９】
以下、図１〜図７を参照して、この発明を指針式の電子腕時計に適用した一実施形態について説明する。
この電子腕時計は、図１に示すように、腕時計ケース内に組み込まれる時計モジュールＭを備えている。この時計モジュールＭは、図１〜図３に示すように、秒針１および分針２を駆動する第１駆動系５と、時針３および表示車４を駆動する第２駆動系６とを備えている。
【００１０】
第１駆動系５は、図１および図２に示すように、第１ステップモータ７と、この第１ステップモータ７によって回転する五番車８と、この五番車８によって回転する四番車である秒針車９と、この秒針車９によって回転する三番車１０と、この三番車１０によって回転する二番車である分針車１１とを備え、これらが地板１２と輪列受け１３との間に中受け２９を介して配置された構成になっている。
【００１１】
この場合、第１ステップモータ７は、図１および図２に示すように、ステータ７ａと、このステータ７ａに設けられたコイル部７ｂと、ステータ７ａの間に配置されたロータ７ｃとを備え、コイル部７ｂによってステータ７ａに発生する磁界により、ロータ７ｃがステップ回転するように構成されている。五番車８は、ロータ７ｃのロータカナ７ｄに噛み合って回転するように構成されている。
【００１２】
四番車である秒針車９は、図１および図２に示すように、五番車８のカナ８ａに噛み合って回転し、秒針１を運針させるように構成されている。この秒針車９は、秒針軸９ａを備えている。この秒針軸９ａは、地板１２の上方に突出し、この突出した上端部に秒針１が取り付けられている。また、三番車１０は、秒針車９のカナ９ｂに噛み合って回転するように構成されている。
【００１３】
二番車である分針車１１は、図１および図２に示すように、三番車１０のカナ１０ａに噛み合って回転し、分針２を運針させるように構成されている。この分針車１１は、筒状の分針軸１１ａを備えている。この分針軸１１ａは、その内部に秒針軸９ａが回転可能に挿入されている。また、この分針軸１１ａは、秒針軸９ａと共に地板１２の上方に突出し、この突出した上端部に分針２が取り付けられている。
【００１４】
一方、第２駆動系６は、図１および図３に示すように、第２ステップモータ１４と、この第２ステップモータ１４の回転が順次伝達される第１〜第３の各中間車１５〜１７と、この第３中間車１７によって回転する筒車である時針車１８と、この時針車１８の回転が順次伝達される第４、第５の各中間車１９、２０と、この第５中間車２０によって動作する表示切替装置２１とを備えている。
【００１５】
この場合、第２駆動系６の第２ステップモータ１４および第１〜第３の各中間車１５〜１７は、第１駆動系５と同様、地板１２と輪列受け１３との間に中受け２９を介して配置されている。また、この第２駆動系６における時針車１８、第４、第５の各中間車１９、２０、および表示切替装置２１は、図３に示すように、地板１２と押え板２２との間に配置されている。
【００１６】
第２ステップモータ１４は、図１および図３に示すように、ステータ１４ａと、このステータ１４ａに設けられたコイル部１４ｂと、ステータ１４ａの間に配置されたロータ１４ｃとを備え、コイル部１４ｂによってステータ１４ａに発生する磁界により、ロータ１４ｃがステップ回転するように構成されている。
【００１７】
第１中間車１５は、図１および図３に示すように、ロータ１４ｃのロータカナ１４ｄに噛み合って回転するように構成されている。第２中間車１６は第１中間車１５のカナ１５ａに噛み合って回転するように構成されている。第３中間車１７は第２中間車１６のカナ１６ａに噛み合って回転するように構成されている。筒車である時針車１８は、図３に示すように、第３中間車１７のカナ１７ａに噛み合って回転し、時針３を運針させるように構成されている。
【００１８】
この時針車１８は、図２および図３に示すように、筒状の時針軸１８ａを備えている。この時針車１８は、その時針軸１８ａの内部に分針軸１１ａが回転可能に挿入された状態で、地板１２上に配置された押え板２２によって回転可能に押えられた構成になっている。この時針軸１８ａの上端部には、時針３が取り付けられている。この時針３は、１２時間で１周回転して時刻を１２時間表示するものであり、１日（２４時間）に２周回転するように構成されている。
【００１９】
この場合、押え板２２の上面には、図２および図３に示すように、文字板３０が配置されている。この文字板３０には、秒針１、分針２、時針３の各針軸９ａ、１１ａ、１８ａが下側から挿入して文字板３０の上方に突出する貫通孔３０ａが設けられている。これにより、秒針１、分針２、時針３は、その各針軸９ａ、１１ａ、１８ａが文字板３０の貫通孔３０ａを通して文字板３０の上方に突出し、この突出した各針軸９ａ、１１ａ、１８ａの各上端部に取り付けられ、この状態で各針軸９ａ、１１ａ、１８ａの回転に伴って文字板３０の上方を運針するように構成されている。
【００２０】
ところで、表示切替装置２１は、図３および図４に示すように、時針車１８に噛み合って回転する第４中間車１９と、この第４中間車１９のカナ１９ａに噛み合って回転する第５中間車２０と、この第５中間車２０のカナ２０ａによって回転する差動車２３と、この差動車２３によって間欠的に回転する送り車２４と、この送り車２４によって回転する表示車４と、差動車２３の回転を係脱可能に規制する規制部材２５とを備え、これらが地板１２と押え板２２との間に配置された構成になっている。
【００２１】
差動車２３は、図３〜図５に示すように、第５中間車２０のカナ２０ａに噛み合って回転する第１差動歯車２６と、この第１差動歯車２６と同一軸上に回転可能に設けられ、且つ送り車２４に噛み合って回転すると共に規制部材２５によって回転が係脱可能に規制される第２差動歯車２７と、この第２差動歯車２７に対する第１差動歯車２６の回転による位置ずれを回転力として第２差動歯車２７に付与する回転力付与部材２８とを備えている。
【００２２】
この場合、第１差動歯車２６は、着磁性を有する金属からなり、図３および図４に示すように、地板１２と押え板２２との間に設けられた支持軸２３ａに回転自在に取り付けられている。この第１差動歯車２６は、その外周部の歯部２６ａが第５中間車２０のカナ２０ａに噛み合い、この状態で第５中間車２０の回転によって回転するように構成されている。この第１差動歯車２６は、時針３が１日に２周回転する際に、所定角度、例えば３０度〜５５度の範囲で、好ましくは４８度回転するように構成されている。
【００２３】
第２差動歯車２７は、着磁性を有する金属からなり、図３および図４に示すように、第１差動歯車２６が取り付けられた支持軸２３ａに第１差動歯車２６と重なり合う状態で回転自在に取り付けられている。この第２差動歯車２７は、その外周部の歯部２７ａが送り車２４に噛み合い、この状態で規制部材２５による規制が解除された際に、回転して送り車２４を回転させるように構成されている。
【００２４】
これにより、第１差動歯車２６と第２差動歯車２７とは、図３〜図５に示すように、第２差動歯車２７の回転が規制部材２５によって規制された状態で、第１差動歯車２６が第５中間車２０によって回転することにより、第１差動歯車２６の回転位置が第２差動歯車２７に対してずれるように構成されている。
【００２５】
回転力付与部材２８は、図５（ａ）および図５（ｂ）に示すように、第１差動歯車２６に着磁された第１磁石部３１と、第２差動歯車２７に着磁された第２磁石部３２とを備え、第１磁石部３１の磁極（Ｎ、Ｓ）と第２磁石部３２の磁極（Ｓ、Ｎ）とが互いに吸引し合うように構成されている。これにより、回転力付与部材２８は、第２差動歯車２７に対する第１差動歯車２６の回転による位置ずれを回転力として第２差動歯車２７に付与するように構成されている。
【００２６】
すなわち、この回転力付与部材２８は、図５（ａ）および図５（ｂ）に示すように、第１差動歯車２６の回転位置が第２差動歯車２７に対してずれた状態で、第２差動歯車２７に対する規制部材２５による規制が解除された際に、第１磁石部３１の磁極（Ｎ、Ｓ）に第２磁石部３２の磁極（Ｓ、Ｎ）が吸引されることにより、第２差動歯車２７を回転させるように構成されている。
【００２７】
一方、規制部材２５は、図４および図６に示すように、差動車２３の第２差動歯車２７の回転を規制する規制レバー３３と、第２差動歯車２７に対する規制レバー３３による規制を解除する規制解除車３４と、この規制解除車３４を回転させる第６中間車３５とを備えている。この場合、第６中間車３５は、筒車である時針車１８に噛み合って回転するように構成されている。
【００２８】
規制解除車３４は、図４および図６に示すように、地板１２と押え板２２との間に回転自在に設けられた回転軸３６に取り付けられている。この規制解除車３４は、その外周部の歯部３４ａが第６中間車３５のカナ３５ａに噛み合い、この状態で第６中間車３５の回転に伴って回転するように構成されている。また、この規制解除車３４は、その中心にカム車３７が設けられている。このカム車３７は、その外周部にカム突起３７ａが設けられ、時針車１８が１日に２周回転する際に、規制解除車３４と共に１回転（３６０度回転）するように構成されている。
【００２９】
規制レバー３３は、図６に示すように、地板１２と押え板２２との間に回転自在に設けられた回転軸３８に取り付けられている。この規制レバー３３は、図４および図６に示すように、差動車２３の第２差動歯車２７の回転を規制する規制アーム部４０と、規制解除車３４のカム車３７の外周部に配置される連動アーム部４１と、規制アーム部４０の先端部４０ａを第２差動歯車２７の歯部２７ａ間に弾接させると共に、連動アーム部４１の先端部をカム車３７の外周部に弾接させるばね部４２とを備えている。
【００３０】
この場合、ばね部４２は、図４に示すように、その先端部が固定ピン４３に当接して位置規制されている。これにより、規制レバー３３は、図７に示すように、規制解除車３４のカム車３７が第６中間車３５によって１回転すると、規制アーム部４０の先端部４０ａがカム車３７のカム突起３７ａによって押され、これによりばね部４２のばね力に抗して規制アーム部４０が回転軸３８を中心に回転し、規制アーム部４０の先端部４０ａが第２差動歯車２７の歯部２７ａから離れ、第２差動歯車２７に対する規制を解除するように構成されている。
【００３１】
ところで、送り車２４は、図３および図４に示すように、差動車２３の外周面の近傍に配置された状態で、差動車２３の第２差動歯車２７が回転した際に、所定角度だけ間欠的に回転して、表示車４を所定角度だけ回転させるように構成されている。この送り車２４は、図３に示すように、その中心部に回転軸２４ｂが設けられ、この回転軸２４ｂが地板１２と押え板２２との間に回転自在に取り付けられた構成になっている。
【００３２】
この送り車２４の外周には、図３および図４に示すように、差動車２３の第２差動歯車２７の歯部２７ａに噛み合うと共に、表示車４の後述する内歯４ａに噛み合う複数の歯部２４ａが設けられている。この送り車２４は、その複数の歯部２４ａが全部で６枚であり、そのいずれか１つの歯部２４ａが第２差動歯車２７の歯部２７ａに噛み合って回転するように構成されている。
【００３３】
表示車４は、図３および図４に示すように、例えば日車であり、平板状のリング形状に形成されている。この表示車４の表面には、１日〜３１日に相当する日付表示（図示せず）が等間隔で表示されている。また、この表示車４は、図３に示すように、その内周部に内歯４ａが設けられ、この内歯４ａに送り車２４の各歯部２４ａが順次噛み合うように構成されている。
【００３４】
これにより、表示車４は、図３および図４に示すように、送り車２４の間欠的な回転に伴って所定角度だけ回転し、文字板３０の表示窓部３０ｂに対応する日付表示が切り替わるように構成されている。この場合、表示窓部３０ｂは、文字板３０の３時位置に設けられている。また、表示車４は、図４および図５に示すように、表示窓部３０ｂに対応する日付表示が切り替わる際に、差動車２３の第２差動歯車２７の回転によって速やかに回転して、表示窓部３０ｂに対応する日付表示が切り替わるように構成されている。
【００３５】
次に、このような指針式の電子腕時計における表示切替装置２１の作用について説明する。
この表示切替装置２１は、第２ステップモータ１４の回転が筒車である時針車１８に伝達され、この時針車１８が１日に２周回転する際に、時針車１８の回転が第４、第５の各中間車１９、２０によって差動車２３の第１差動歯車２６に伝達される。このときには、第１差動歯車２６は回転するが、差動車２３の第２差動歯車２７はその回転が規制部材２５によって規制されているので、回転しない。
【００３６】
すなわち、規制部材２５は、時針車１８の回転が第６中間車３５を介して規制解除車３４に伝達され、この規制解除車３４がカム車３７と共に回転し、規制レバー３３の連動アーム部４１の先端部がカム車３７の外周面に沿って摺動する。しかし、このときには、連動アーム部４１の先端部がカム車３７のカム突起３７ａに到達していない。このため、規制レバー３３は、図４に示すように、その規制アーム部４０の先端部４０ａがばね部４２のばね力によって第２差動歯車２７の歯部２７ａ間に押し付けられている。これにより、第２差動歯車２７は規制部材２５によって回転が規制されている。
【００３７】
このように、時針車１８が１日に２周回転する際には、図５（ａ）に示すように、差動車２３の第１差動歯車２６が所定角度、例えば３０度〜５５度の角度範囲で、好ましくは４８度回転しても、第２差動歯車２７は、規制部材２５の規制レバー３３によって規制されていることにより、回転しない。
【００３８】
このため、第１差動歯車２６と第２差動歯車２７とは、図５（ａ）に示すように、互いに重なり合う状態で、第１差動歯車２６の回転位置が第２差動歯車２７の回転位置に対してずれた状態になり、第１差動歯車２６の第１磁石部３１の磁極と第２差動歯車２７の第２磁石部３２の磁極とが、３０度〜５５度の角度範囲で、好ましくは４８度の角度でずれた状態になる。
【００３９】
この状態で、時針車１８が２周回転すると、第２差動歯車２７に対する規制部材２５の規制が解除される。すなわち、時針車１８が２周回転すると、図７に示すように、規制解除車３４が１回転し、これに伴ってカム車３７も１回転するので、このカム車３７のカム突起３７ａによって連動アーム部４１の先端部が押される。これにより、連動アーム部４１がばね部４２のばね力に抗して回転軸３８を中心に回転し、規制アーム部４０の先端部４０ａが第２差動歯車２７の歯部２７ａ間から離れ、第２差動歯車２７に対する規制が解除される。
【００４０】
このように第２差動歯車２７に対する規制が解除されると、第１差動歯車２６の第１磁石部３１の磁極と第２差動歯車２７の第２磁石部３２の磁極とが、磁力の吸引力によって互いに引き合い、これにより図５（ｂ）に示すように、第２差動歯車２７が速やかに所定角度回転する。
【００４１】
すなわち、第１差動歯車２６の第１磁石部３１の磁極と第２差動歯車２７の第２磁石部３２の磁極とが、図５（ａ）に示すように、ずれた状態であるため、第２差動歯車２７の第２磁石部３２の磁極が第１差動歯車２６の第１磁石部３１の磁極に、磁力の吸引力によって引き寄せられ、これにより図５（ｂ）に示すように、第２差動歯車２７が速やかに回転する。
【００４２】
このように第２差動歯車２７が速やかに回転すると、図４に示すように、この第２差動歯車２７の回転によって送り車２４が所定角度だけ速やかに回転し、この送り車２４の回転によって表示車４が速やかに所定角度回転する。これにより、文字板３０の表示窓部３０ａに対応する表示車４の日付表示が速やかに切り替わる。
【００４３】
このように日付表示が切り替わった後は、時針車１８の回転に伴って差動車２３の第１差動歯車２６が回転すると共に、規制部材２５の規制解除車３４もカム車３７と共に回転する。このときには、規制部材２５の規制レバー３３における連動アーム部４１の先端部がカム突起３７ａを乗り越えるので、規制アーム部４０がばね部４２のばね力によって第２差動歯車２７に向けて押され、規制アーム部４０の先端部４０ａが第２差動歯車２７の歯部２７ａ間に挿入して第２差動歯車２７の回転が規制される。これにより、次の表示切替の準備が行われる。
【００４４】
このように、この表示切替装置２１によれば、駆動源である第２ステップモータ１４の回転が伝達車である第４、第５の各中間車１９、２０を介して伝達されて回転する差動車２３と、この差動車２３の回転によって間欠的に回転する送り車２４と、この送り車２４の回転によって回転して表示が切り替わる表示車４と、差動車２３の回転を係脱可能に規制する規制部材２５とを備え、差動車２３は、第５中間車２０に噛み合って回転する第１差動歯車２６と、この第１差動歯車２６と同一軸上に回転可能に設けられ、且つ送り車２４に噛み合って回転すると共に規制部材２５によって回転が係脱可能に規制される第２差動歯車２７と、この第２差動歯車２７に対する第１差動歯車２６の回転による位置ずれを回転力として第２差動歯車２７に付与する回転力付与部材２８とを備えていることにより、表示車４の表示を速やかに切り替えることができる。
【００４５】
すなわち、この表示切替装置２１では、表示車４の表示が切り替わる際に、差動車２３の第１差動歯車２６が第５中間車２０によって回転しても、第２差動歯車２７が規制部材２５によって回転が規制されて、第１差動歯車２６と第２差動歯車２７とが回転方向に位置ずれし、この位置ずれによる回転力を回転力付与部材２８によって第２差動歯車２７に付与することができる。このため、第２差動歯車２７に対する規制部材２５の規制が解除されると、第１差動歯車２６に対して位置ずれしている第２差動歯車２７を速やかに回転させることができ、これにより表示車４の表示を速やかに切り替えることができる。
【００４６】
この場合、回転力付与部材２８は、第１差動歯車２６に着磁された第１磁石部３１と、第２差動歯車２７に着磁された第２磁石部３２とを備え、第１磁石部３１の磁極（Ｎ、Ｓ）と第２磁石部３２の磁極（Ｓ、Ｎ）とが互いに吸引し合う構成であるから、第２差動歯車２７に対する第１差動歯車２６の回転方向の位置ずれを磁力の吸引力による回転力として第２差動歯車２７に確実に且つ良好に付与することができると共に、磁力による吸引力を利用していることにより、構造が簡単で、部品点数も少なく、組立作業も容易にできる。
【００４７】
また、この表示切替装置２１では、規制部材２５が、差動車２３の第２差動歯車２７の回転を規制する規制レバー３３と、第２差動歯車２７に対する規制レバー３３による規制を解除する規制解除車３４とを備えていることにより、規制解除車３４が１回転すると、第２差動歯車２７に対する規制レバー３３の規制を解除することができ、これにより第１差動歯車２６に対して位置ずれしている第２差動歯車２７を速やかに回転させることができる。
【００４８】
この場合、規制レバー３３は、差動車２３の第２差動歯車２７の回転を規制する規制アーム部４０と、規制解除車３４のカム車３７の外周部に配置される連動アーム部４１と、規制アーム部４０の先端部４０ａを第２差動歯車２７の歯部２７ａ間に弾接させると共に、連動アーム部４１の先端部をカム車３７の外周部に弾接させるばね部４２とを備えており、規制解除車３４は、外周部にカム突起３７ａが設けられたカム車３７を備えているので、規制解除車３４が１回転する際に、カム車３７によって規制レバー３３の規制アーム部４０の先端部４０ａを第２差動歯車２７から確実に離すことができ、これにより第２差動歯車２７に対する規制を確実に且つ良好に解除することができる。
【００４９】
すなわち、規制レバー３３は、規制解除車３４がカム車３７と共に１回転すると、カム突起３７ａによって連動アーム部４１が押されて回転して規制アーム部４０をばね部４２のばね力に抗して引き離すことができ、これにより規制アーム部４０の先端部４０ａを第２差動歯車２７から離脱させることができるので、第２差動歯車２７に対する規制を確実に且つ速やかに解除することができる。
【００５０】
この場合、規制レバー３３は、規制アーム部４０の先端部４０ａが第２差動歯車２７の歯部２７ａ間に挿入して第２差動歯車２７の回転を規制しているので、この第２差動歯車２７によって送り車２４の回転を確実に規制することができると共に、この送り車２４によって表示車４の回転をも確実に規制することができる。これにより、表示車４の回転方向におけるガタツキを防ぐことができるので、表示車４の表示を常に安定させた状態で維持することができる。
【００５１】
また、この表示切替装置２１では、駆動源である第２ステップモータ１４の回転が伝達されて回転する時針車１８の回転に伴って第４、第５の各中間車１９、２０が回転し、この第４、第５の各中間車１９、２０の回転によって差動車２３の第１差動歯車２６が回転する構成であるか、差動車２３の第１差動歯車２６を回転させるための専用の駆動源を必要とせず、時針車１８を回転させるための第２ステップモータ１４で兼用することができ、これにより駆動源の簡素化を図ることができると共に、低コスト化をも図ることができる。
【００５２】
さらに、この表示切替装置２１では、駆動源である第２ステップモータ１４の回転が伝達されて回転する時針車１８の回転に伴って規制解除車３４が第６中間車３５を介して回転する構成であるから、規制解除車３４を回転させるための専用の駆動源を必要とせず、時針車１８を回転させるための第２ステップモータ１４で兼用することができ、これによっても駆動源の簡素化を図ることができると共に、低コスト化をも図ることができる。
【００５３】
なお、上述した実施形態では、第１、第２の各差動歯車２６、２７が着磁性を有する金属からなる場合について述べたが、これに限らず、第１、第２の各差動歯車２６、２７を合成樹脂で形成して、この第１、第２の各差動歯車２６、２７にそれぞれ第１、第２の各磁石を埋め込んだ構成であっても良く、また合成樹脂に磁性材を含有させて第１、第２の各磁石を着磁させた構成であっても良い。
【００５４】
また、上述した実施形態では、第１駆動系５と第２駆動系６とを有する腕時計に適用した場合について述べたが、必ずしも第１、第２の各駆動系５、６を備えている必要はなく、１つの駆動系のみを有する腕時計にも適用することができる。
【００５５】
さらに、上述した実施形態では、指針式の腕時計に適用した場合について述べたが、必ずしも腕時計である必要はなく、例えばトラベルウオッチ、目覚まし時計、置き時計、掛け時計などの各種の指針式の時計に適用することができる。また、時計に限らず、カレンダー装置や、計器類のメータなどの各種の機器に広く適用することができる。
【００５６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５７】
（付記）
請求項１に記載の発明は、駆動源の回転が伝達されて回転する伝達車と、この伝達車の回転によって回転する差動車と、この差動車の回転によって間欠的に回転する送り車と、この送り車の回転によって回転して表示が切り替わる表示車と、前記差動車の回転を係脱可能に規制する規制部材とを備えた表示切替装置であって、
前記差動車は、前記伝達車に噛み合って回転する第１差動歯車と、この第１差動歯車と同一軸上に回転可能に設けられ、且つ前記送り車に噛み合って回転すると共に前記規制部材によって回転が係脱可能に規制される第２差動歯車と、この第２差動歯車に対する前記第１差動歯車の回転による位置ずれを回転力として前記第２差動歯車に付与する回転力付与部材とを備えていることを特徴とする表示切替装置である。
【００５８】
請求項２に記載の発明は、請求項１に記載の表示切替装置において、前記回転力付与部材は、前記第１差動歯車に着磁された第１磁石部と、前記第２差動歯車に着磁された第２磁石部とを備え、前記第１磁石部の磁極と前記第２磁石部の磁極とが互いに吸引し合うことを特徴とする表示切替装置である。
【００５９】
請求項３に記載の発明は、請求項１または請求項２に記載の表示切替装置において、前記規制部材は、前記差動車の前記第２差動歯車の回転を規制する規制レバーと、前記第２差動歯車に対する前記規制レバーによる規制を解除する規制解除車とを備えていることを特徴とする表示切替装置である。
【００６０】
請求項４に記載の発明は、請求項１〜請求項３のいずれかに記載の表示切替装置において、前記伝達車は、前記駆動源の回転が伝達されて回転する指針車の回転に伴って回転することを特徴とする表示切替装置である。
【００６１】
請求項５に記載の発明は、請求項３または請求項４に記載の表示切替装置において、前記規制解除車は、前記駆動源の回転が伝達されて回転する前記指針車の回転に伴って回転することを特徴とする表示切替装置である。
【００６２】
請求項５に記載の発明は、請求項１に記載の表示切替装置を機器ケースに設けていることを特徴とする電子機器である。
【符号の説明】
【００６３】
１  秒針
２  分針
３  時針
４  表示車
５  第１駆動系
６  第２駆動系
１４  第２ステップモータ
１８  時針車
１９、２０  第４、第５の各中間車
２１  表示切替装置
２３  差動車
２４  送り車
２５  規制部材
２６  第１差動歯車
２７  第２差動歯車
２８  回転力付与部材
３０  文字板
３１  第１磁石部
３２  第２磁石部
３３  規制レバー
３４  規制解除車
３７  カム車
４０  規制アーム部
４１  連動アーム部
４２  ばね部
【図１】
0005862222.tif 000002
【図２】
0005862222.tif 000003
【図３】
0005862222.tif 000004
【図４】
0005862222.tif 000005
【図５】
0005862222.tif 000006
【図６】
0005862222.tif 000007
【図７】
0005862222.tif 000008